(57)【要約】  【課題】利用者（歌唱者）ＩＤを容易に、正確かつ迅速に識別でき、このような利用者ＩＤを識別する必要があるカラオケシステムに好適に適応できるカラオケマイクの提供。  【解決手段】利用者の音声情報をカラオケ演奏装置に転送するためのカラオケマイク（１）において、利用者の指紋を読み取るための指紋読取手段（２）と、当該読取指紋を解析して所定の指紋情報に変換するための指紋変換手段（３）と、当該変換指紋情報を所定のカラオケ演奏装置に転送するための情報転送手段（４）と、を有してなる指紋識別機能付きカラオケマイク。【選択図】図２
2005107258.tif 000002
【特許請求の範囲】
【請求項１】
利用者の音声情報をカラオケ演奏装置に転送するためのカラオケマイクにおいて、利用者の指紋を読み取るための指紋読取手段と、当該読取指紋を解析して所定の指紋情報に変換するための指紋変換手段と、当該変換指紋情報を所定のカラオケ演奏装置に転送するための情報転送手段と、を有してなる指紋識別機能付きカラオケマイク。
【請求項２】
利用者の音声情報をカラオケ演奏装置に転送するためのカラオケマイクにおいて、利用者の指紋を読み取るための指紋読取手段と、当該読取指紋を解析して所定の指紋情報に変換するための指紋変換手段と、当該変換指紋情報にＩＤコードを付して所定の記憶部に登録するための指紋登録手段と、当該登録指紋情報に対応したＩＤコードないし当該ＩＤコードを付帯した前記登録指紋情報を、所定のカラオケ演奏装置に転送するための情報転送手段と、を有してなる指紋識別機能付きカラオケマイク。
【請求項３】
前記変換指紋情報と前記登録指紋情報とを比較し照合するための比較照合手段を、さらに有してなる請求項２記載の指紋識別機能付きカラオケマイク。
【請求項４】
前記情報転送手段の転送トリガーが前記指紋読取手段の撮像トリガーを兼用してなる請求項１ないし請求項３記載の指紋識別機能付きカラオケマイク。
【発明の詳細な説明】
【技術分野】
【０００１】
本発明は、利用者の音声情報をカラオケ演奏装置に転送するためのカラオケマイクに関し、さらに詳しくは、利用者毎の指紋を識別する機能を有するカラオケマイクに関する。
【背景技術】
【０００２】
最近のカラオケシステムでは利用者ＩＤを識別する必要がある。例えば、カラオケホスト装置は、広域に存在する多数の端末（カラオケ演奏装置）から選曲履歴を集め、利用者ＩＤをキーとして集中管理する。これにより、同一の利用者が異なる店、異なる端末で歌った履歴も、カラオケホスト装置における１つの選曲履歴として集約できる。
あるいは、新規のサービスへの対応、具体的には、所定の予約楽曲を誰が転送したかの一覧表示や歌唱する順番の一覧表示、歌唱力採点の集計値や最高点、順位、各種のゲームやクイズなどを利用者毎ないし一覧表示するサービスに対応して、利用者ＩＤを識別したり、また、カラオケ演奏装置を用いて利用者の歌唱力の段位を認定する場合や歌唱力を必要とする様々なイベントのオーディションの合否を判断する場合においても、その対象者が本人かどうかを確認するために、利用者（歌唱者）ＩＤを識別する必要がある。
【０００３】
このように、利用者ＩＤを識別する必要がある場合、従来では、例えば、特開２００３−７６３８１号に開示されているように、利用者固有のカラオケリモコン装置を利用する「会員リモコン方式」や利用者がパスワードや暗唱番号を直接手入力する「パスワード方式」などがある。具体的には、前者は、会員が個別に会員リモコンを所有し、各会員は各自の会員リモコンを使用してカラオケ演奏装置に予約楽曲コードなどを登録するものである。この会員リモコンはカラオケ事業者が多数の利用者に配布したものであり、各会員リモコンには固体識別子が割り当てられているため、この固体識別子を利用者ＩＤとして、予約楽曲コードなどと共に転送する。また、後者は、利用者毎のパスワードをＩＤとして予め登録しておき、予約楽曲コードなどをカラオケ演奏装置に転送する際、利用者がパスワードも共に転送することで、そのパスワードが照合されて利用者ＩＤが特定される。
【０００４】
しかしながら、このような従来技術では、例えば、「会員リモコン方式」による利用者識別の場合は、利用者毎に個体識別子が付与されたカラオケリモコン装置を用意しなければならず、多数の会員リモコンが必要である。まして、最近普及している「電子目次本付きカラオケリモコン」のような高性能多機能のカラオケリモコン装置などを利用者毎に与えることは、コスト面や効率面を考慮すると現実的ではない。また、「パスワード方式」による利用者識別の場合は、利用者はパスワードや暗唱番号を予め登録したり、サービスの利用機会毎にパスワードや暗唱番号を一々手入力するため、非常に手間がかかる。さらに、当然のことながら、利用者はパスワードや暗唱番号を正確に記憶していなければならないなどといった不都合もある。また、上記方式の他、ＩＤが記録されたＩＤカードを利用者毎に配布して、これをサービスの利用機会毎にカードリーダにセットさせるといった方法もあるが、この方法でも、一々所定のカードリーダにＩＤカードをセットする手間がかかるといった不都合がある。
【０００５】
ところで、従来、カラオケで使用されるマイクは、通称「ダイナミックマイク」と呼ばれ、通常では、利用者の歌唱である音声情報すなわち歌声を所定のカラオケ演奏装置に転送するために利用されている。ところが、特開平９−１４６５６３号や特開２０００−２００７８号に開示されているように、利用者ＩＤとして、利用者の固有かつ不変な人体的特徴である声紋情報を採取する手段として利用されることもある。例えば、特開平９−１４６５６３号では、カラオケマイクから入力される音声から声紋情報を抽出し、この声紋情報に基づいて利用者を同定し、これにより個人情報記憶手段に記憶された個人情報を読み出して更新あるいは追加を行い、さらに、各個人情報に基づいて所定の情報を出力できるシステムに関する技術が開示されている。一方、特開２０００−２００７８号では、カラオケホスト装置から、個人ＩＤに対応する選曲履歴と、これに付帯する声紋情報（声紋コード）とをダウンロードして、所定のデータ記憶手段に格納し、カラオケマイクから採取した利用者の入力音声から声紋情報を抽出し、この声紋情報と符合する声紋情報を当該データ記憶手段から検索し、符合した声紋情報に対応づけられている選曲履歴をディスプレイに表示する通信カラオケ演奏装置に関する技術が開示されている。
【特許文献１】特開平９−１４６５６３号公報
【特許文献２】特開２０００−２００７８号公報
【特許文献３】特開２００３−７６３８１号公報
【発明の開示】
【発明が解決しようとする課題】
【０００６】
このように、カラオケマイクを利用者ＩＤとして利用者の声紋情報を採取する手段として利用すれば、自動的に利用者ＩＤを識別するシステムを構成できるため、利用者にとっては、前述した「会員リモコン方式」や「パスワード方式」、あるいはＩＤカードを用いる方式における問題や不都合を解消できるものである。
しかしながら、声紋情報は外部環境からの自然音、特にカラオケルームにおいては、演奏音や他の利用者の音声がカラオケマイクに混入し易いため、細密な声紋採取が非常に難しく、加えて、「声紋識別技術」自体が、現状でも非常に高度かつ精緻性を要するなもので、その正確さを向上させるためには高度な音声識別システムを導入する必要があり、これでは、カラオケシステムに利用するマイクとしては技術面やコスト面で不都合である。
【０００７】
本発明は、上記の問題や不都合を解消するために想到されたもので、すなわち、利用者（歌唱者）ＩＤを容易に、正確かつ迅速に識別でき、このような利用者ＩＤを識別する必要があるカラオケシステムに好適に適応できるカラオケマイクの提供を課題とする。
【課題を解決するための手段】
【０００８】
上記課題を解決するため、演奏音や他の利用者の音声に関係なく、細密な採取が可能であり、現在では、ダウンサイジングの技術的進歩により携帯電話などにも搭載可能となった「指紋識別システム」をカラオケマイクに搭載することにより、本発明を想到した。
【０００９】
すなわち、本発明の請求項１記載の指紋識別機能付きカラオケマイクは、利用者の音声情報をカラオケ演奏装置に転送するためのカラオケマイクにおいて、利用者の指紋を読み取るための指紋読取手段と、当該読取指紋を解析して所定の指紋情報に変換するための指紋変換手段と、当該変換指紋情報を所定のカラオケ演奏装置に転送するための情報転送手段と、を有してなることを特徴とする。
【００１０】
さらに、本発明の請求項２記載の指紋識別機能付きカラオケマイクは、利用者の音声情報をカラオケ演奏装置に転送するためのカラオケマイクにおいて、利用者の指紋を読み取るための指紋読取手段と、当該読取指紋を解析して所定の指紋情報に変換するための指紋変換手段と、当該変換指紋情報にＩＤコードを付して所定の記憶部に登録するための指紋登録手段と、当該登録指紋情報に対応したＩＤコードないし当該ＩＤコードを付帯した前記登録指紋情報を、所定のカラオケ演奏装置に転送するための情報転送手段と、を有してなることを特徴とする。
【００１１】
また、本発明の請求項３記載の指紋識別機能付きカラオケマイクは、上記請求項２記載の指紋識別機能付きカラオケマイクにおいて、前記変換指紋情報と前記登録指紋情報とを比較し照合するための比較照合手段を、さらに有してなることを特徴とする。
【００１２】
そして、本発明の請求項４記載の指紋識別機能付きカラオケマイクは、上記請求項１ないし請求項３記載の指紋識別機能付きカラオケマイクにおいて、前記情報転送手段の転送トリガーが前記指紋読取手段の撮像トリガーを兼用してなることを特徴とする。
【発明の効果】
【００１３】
前述の如く、本発明の指紋識別機能付きカラオケマイクでは、マイク自体が、固有かつ不変な人体的特徴である利用者の指紋を採取して情報変換し、その変換指紋情報を所定のカラオケ演奏装置に転送できるため、従来の声紋識別システムでは不都合であった演奏音や他の利用者の音声に関係なく、正確かつ迅速に利用者ＩＤを特定できる。また、従来の利用者ＩＤを特定する手段のように、会員リモコンやＩＤカードを用意したり、パスワードや暗唱番号などを一々手入力する必要もない。
したがって、利用者（歌唱者）ＩＤを識別する必要があるカラオケシステム、例えば、カラオケ演奏装置を用いて利用者の歌唱力の段位を認定する場合や、歌唱力を必要とする様々なイベントのオーディションの合否を判断する場合においても、その対象者が本人かどうかを確認する際などに、好適に適応できるといった効果を奏する。
【００１４】
さらに、本発明の別の指紋識別機能付きカラオケマイクでは、マイク自体が、固有かつ不変な人体的特徴である利用者（歌唱者）の指紋を採取して情報変換し、一旦、その変換指紋情報にＩＤコードを付して所定の記憶部に登録した後、そのＩＤコードないし当該ＩＤコードを付帯した登録指紋情報を所定のカラオケ演奏装置に転送できるため、上記効果の他、このカラオケマイクに対応するカラオケ演奏装置内には、ＩＤコードにて管理をするための指紋情報登録システムを組み込むような大改造の必要がなく、カラオケ演奏装置の小改造にて容易に本システムを導入できるといった効果を奏する。
【００１５】
また、上記指紋識別機能付きカラオケマイクに、変換指紋情報と登録指紋情報とを比較し照合するための比較照合手段を設けることにより、利用者が繰り返し利用する際、登録指紋情報の中に、所定の利用者の変換指紋情報と一致するものがある場合、当該利用者にはその登録指紋情報に付与されたＩＤコードが適用されるため、同一利用者に異なるＩＤコードが付与されるようなことはなく、また、変換指紋情報にＩＤコードを付して所定の記憶部に登録するための指紋登録手段が行う行程の必要がないため、比較照合後に、速やかにＩＤコードないし当該ＩＤコードを付帯した登録指紋情報を転送することができる。
【００１６】
そして、本発明の上記指紋識別機能付きカラオケマイクにおいて、情報転送手段の転送トリガー（転送釦）が指紋読取手段の撮像トリガーを兼用することにより、指紋の採取からカラオケ演奏装置への情報転送までの一連の処理を、転送トリガーへの１アクション、具体的には、指先での転送釦への１回の押圧により実行できる。
【発明を実施するための最良の形態】
【００１７】
以下、本発明の指紋識別機能付きカラオケマイクについて最適な実施例を挙げ、さらに詳述する。
【実施例１】
【００１８】
先ず、図１は、本発明の指紋識別機能付きカラオケマイクの概略的な外観図である。
すなわち、指紋識別機能付きカラオケマイク（１）の外観は、ボディー（Ｍ２）、風防（Ｍ３）、電源スイッチ（Ｍ４）、指紋採取部（Ｍ５）、および有線接続コードないし無線通信アンテナ（Ｍ６）を主な構成要件とする。
【００１９】
次に、図２は、本発明の指紋識別機能付きカラオケマイクの内部構成機能ブロック図であるが、この指紋識別機能付きカラオケマイク（１）は、その最も特徴とする指紋読取手段（２）、指紋変換手段（３）、情報転送手段（４）と、必要に応じて、指紋登録手段（５）および比較照合手段（６）と、これらを制御する中央制御手段（７）の他に、従来のダイナミックマイクの構成要件である、利用者の歌声の音圧を受けて振動する音圧受振部（８）や、その振動を電気信号に変換する圧電変換手段（９）から主に構成されている。
【００２０】
以下、図３に示す指紋読み取り機構の概略的な説明図に基づき、指紋読取手段（２）、指紋変換手段（３）、指紋登録手段（４）、比較照合手段（６）について説明する。
【００２１】
先ず、指紋読取手段（２）は、指紋を採取する指との接触読取面を有する指紋採取用プリズム（２１）と光源（２２）、および当該プリズム入射光（２２ａ）および当該プリズム出射光（２２ｂ）を所定の経路に偏向するための可動式偏向ミラー（２３）、（２３）と、読取指紋像を結像する結像レンズ（２４）と、ＣＣＤなどの光電変換素子（２６）を主な構成要件とする。
【００２２】
指紋採取用プリズム（２１）は上下に可動可能に保持されており、利用者の指先（Ｆ）が当該プリズム（２１）を押圧すると、これに連動して、撮像トリガー（２５）を押圧するように構成されている。そして、指紋採取用プリズム（２１）の接触読取面に利用者の指先（Ｆ）を押圧すると撮像が行われ、指先（Ｆ）の指紋凸部（図示せず）では接触読取面に接触する一方、指紋凹部（図示せず）では接触読取面との間に空隙を形成する。したがって、この状態で、光源（２２）からプリズム入射光（２２ａ）が入射した場合、指紋凸部ではプリズム出射光（２２ｂ）が接触読取面で乱反射して暗部として識別される。反面、指紋凹部では接触読取面との間に空隙が存在するため、読み取り光は接触読取面で全反射して明部として識別される。このように、指紋はその起伏の凹凸部により濃淡画像として読み取られる。そして、当該濃淡画像は結像レンズ（２４）を用いてＣＣＤなどの光電変換素子（２６）に結像される。
【００２３】
次に、指紋変換手段（３）では、光電変換素子（２６）に結像された指紋の濃淡画像に基づいた指紋の特徴情報を抽出し、これを電気信号に変換し、指紋登録手段（４）にて、当該変換指紋情報にＩＤコードを付して所定の記憶部（図示せず）に登録する。
【００２４】
なお、本発明における指紋読取手段は特に限定されるものではなく、プリズムを用いた光学式の他、ホログラフィック指紋センサ方式、熱感知を利用する半導体センサ方式、静電容量を利用する半導体センサ方式など、利用者の指紋画像を読み取れるものであれば、その方式は何れのものでも構わない。
また、本発明における指紋変換手段も特に限定されるものではなく、例えば、指紋凹凸の濃淡画像から二値化処理と芯線化処理により隆線パターンを抽出した後、その端点と分岐点の位置を検出し、当該端点と分岐点の相互間を結ぶ線分上の交差隆線数の相関図をデジタル表記する方式（マニューシャ方式）などを用いることもできる。
さらに、本発明における比較照合手段も特に限定されるものではないが、指紋変換手段に強く関連しており、上記マニューシャ方式や指紋の濃淡画像を利用する画像マッチング方式などが利用可能である。
【００２５】
次に、図４に示す、本発明の一実施例におけるカラオケマイクのシステムフロー図に基づき、本発明を詳述する。
先ず、指紋読取手段にて、登録する利用者の指先の指紋を読み取る（ステップＳ１）。次に、指紋変換手段にて、当該読取指紋を解析して所定の指紋情報に変換する（ステップＳ２）。そして、利用者は、情報転送手段の転送トリガー（転送釦）を押圧することで、当該変換指紋情報は所定のカラオケ演奏装置に転送される（ステップＳ３）。
【００２６】
したがって、このシステムフローでは、利用者が歌唱している、ないし歌唱する際に、利用者から採取した変換指紋情報がカラオケ演奏装置に送られ、当該カラオケ演奏装置内では、通常、当該変換指紋情報にＩＤコードを付して所定の記憶部に登録し、解析することで、現在歌唱している、ないし直近で歌唱する利用者ＩＤが特定される。
【００２７】
なお、ステップＳ１からステップＳ３に至る行程は極めて短時間で行われるため、指紋読取手段の撮像トリガーと情報転送手段の転送トリガーのトリガー信号を同時に送付したとしても、その送付時間にタイムラグを設けるようなプログラム操作、あるいは、信号の受け手側に動作時間のタイムラグを設けるようなプログラム操作により、転送トリガーと撮像トリガーを兼用させるように構成してもよい。この構成により、指紋の採取から情報転送までの一連の処理を、転送トリガーへの１アクション、具体的には、指先での転送釦への１回の押圧により実行できる。
【００２８】
次に、図５に示す、本発明の別の実施例におけるカラオケマイクのシステムフロー図に基づき、本発明をさらに詳述する。
先ず、指紋読取手段にて登録する利用者の指先の指紋を読み取る（ステップＳ１０）。次に、指紋変換手段にて、当該読取指紋を解析して所定の指紋情報に変換する（ステップＳ１１）。そして、比較照合手段にて、当該変換指紋情報と登録指紋情報とを比較し照合する（ステップＳ１２）。
【００２９】
ここで、登録指紋情報の中に当該変換指紋情報と一致するものがあるか否かが判別されるが（ステップＳ１３）、一致する情報がない場合には、指紋登録手段にて、当該変換指紋情報にＩＤコードを付して所定の記憶部に登録する（ステップＳ１４）。そして、この登録と略同時に、利用者のＩＤコードが特定される（ステップＳ１５）。続けて利用者は転送トリガー（転送釦）を押圧することで、情報転送手段にて、ＩＤコードないし当該ＩＤコードを付帯した登録指紋情報（何れかは、予めシステム設定するか、選択手段を別途設けてもよい）が所定のカラオケ演奏装置に転送される（ステップＳ１６）。
【００３０】
一方、一致する情報がある場合には、当該変換指紋情報は登録されることなく、利用者のＩＤコードが特定される（ステップＳ１５）。続けて利用者は転送トリガー（転送釦）を押圧することで、上記と同様に、情報転送手段にて、ＩＤコードないし当該ＩＤコードを付帯した登録指紋情報が所定のカラオケ演奏装置に転送される（ステップＳ１６）。
【００３１】
なお、利用者が、カラオケマイクの使用を終了する際、例えば、ログアウトトリガーを設けることにより、このトリガーを押圧することで、登録指紋情報を自動的に消去するようにしてもよい。また、この方式の他、ログアウトせずに終了した場合、最も新しい履歴の登録指紋情報を記憶すると共に、履歴中で最も古い登録指紋情報から順次削除したりしてもよく、また、ログアウトの有無を問わず、利用者が自分のＩＤをタッチして指定し、選択されたＩＤコードを個別に消去できるように構成しても構わない。
【００３２】
したがって、このシステムフローでは、前述したシステムフローと異なり、カラオケマイク自体に、ＩＤコードにて管理をするための指紋情報登録システムが組み込まれ、さらに、変換指紋情報と登録指紋情報とを比較し照合するための比較照合手段を設けることにより、比較照合後に、速やかにＩＤコードないし当該ＩＤコードを付帯した登録指紋情報を転送することができ、ＩＤコード管理がさらに効率化される。
【００３３】
以上、詳述した如く、本発明のカラオケマイクによれば、マイク自体が、固有かつ不変な人体的特徴である利用者（歌唱者）の指紋を採取して情報変換し、その変換指紋情報を所定のカラオケ演奏装置に転送できるため、正確かつ迅速に利用者ＩＤを特定、利用者ＩＤを識別する必要があるカラオケシステム、例えば、カラオケ演奏装置を用いて利用者の歌唱力の段位を認定する場合や、歌唱力を必要とする様々なイベントのオーディションの合否を判断する場合においても、その歌唱している対象者が本人かどうかを確認する際などに、好適に適応できる。
【００３４】
なお、本発明は、その基本概念を逸脱しない限り、種々の改変をなすことができると共に、その権利は当該改変されたものにも及ぶものである。
【図面の簡単な説明】
【００３５】
【図１】本発明の指紋識別機能付きカラオケマイクの概略的な外観図。
【図２】本発明の指紋識別機能付きカラオケマイクの内部構成機能ブロック図。
【図３】指紋読み取り機構の概略的な説明図。
【図４】本発明の一実施例におけるカラオケマイクのシステムフロー図。
【図５】本発明の別の実施例におけるカラオケマイクのシステムフロー図。
【符号の説明】
【００３６】
１    指紋識別機能付きカラオケマイク
２    指紋読取手段
３    指紋変換手段
４    指紋登録手段
５    情報転送手段
６    照合比較手段
【図１】
2005107258.tif 000003
【図２】
2005107258.tif 000004
【図３】
2005107258.tif 000005
【図４】
2005107258.tif 000006
【図５】
2005107258.tif 000007